(57)【要約】  【課題】  本発明は上記課題を鑑みてなされたものであり、簡単な構造で容易にヘアキャッチャーの閉塞を緩和できる排水トラップを提供することを目的とする。  【解決手段】  流入口と流出口とを有した封水部と、この封水部に挿入懸垂される封水筒と、この封水筒の上方に配置されるヘアキャッチャーとを備え、上記流入口が浴槽排水を流入させ、上記流出口が封水壁を介して排水流出させ、上記封水筒が、その下端よりも下方に突出するフィンを有する排水トラップ。  【選択図】  図１
2009138383.tif 000002
【特許請求の範囲】
【請求項１】
流入口と流出口とを有した封水部と、この封水部に挿入懸垂される封水筒と、この封水筒の上方に配置されるヘアキャッチャーとを備え、上記流入口が浴槽排水を流入させ、上記流出口が封水壁を介して排水流出させ、上記封水筒が、その下端よりも下方に突出するフィンを有する排水トラップ。
【請求項２】
請求項１において、フィンが、封水筒の内壁にまで連続する成形体である排水トラップ。
【請求項３】
請求項１又は２において、フィンが複数枚設けられ、平面視において、等角度間隔で配置される排水トラップ。
【請求項４】
請求項１乃至３の何れかにおいて、ヘアキャッチャーの底面の高さが封水壁部の上端部の高さより上方である排水トラップ。
【請求項５】
請求項１乃至４の何れかにおいて、ヘアキャッチャーの縁部の上面に、略円周方向に形成される整流板を設けるとともに、その整流板の一画に取手を設けている排水トラップ。
【発明の詳細な説明】
【技術分野】
【０００１】
本発明は、浴室等に用いられる排水トラップに関し、特にヘアキャッチャーに捕集された毛髪等による排水の閉塞を緩和し、清掃性を高めた排水トラップに関する。
【背景技術】
【０００２】
従来、例えば、浴室の洗い場から流れ出る毛髪等の異物は、洗い場の目皿の下方に設けられているヘアキャッチャーにより捕集されている。この異物は、放置すると、ここに人垢、石鹸カス、リンス等が付着してヌメリ発生の原因となったり、排水性能の低下を招くことになったりするため、使用者が不快と感じながらもこまめに手で取り除いていた。
【０００３】
この不快な作業を緩和する手段の一例として、図６に示すような排水トラップが提案されている（特許文献１参照）。この排水トラップ１では、浴槽水がトラップ内に排水されたときに、この水流を利用して排水トラップ内に渦流を形成させ、この渦流によりヘアキャッチャー４に付着した毛髪等を剥して中央部分にまとめるものである。これにより、ヘアキャッチャーの中央部分以外には毛髪が付着していない状態が保たれるので、通水が良好となり、毛髪除去作業の頻度を軽減することができるというものである。
【特許文献１】特許第３８８６０５５号公報
【発明の開示】
【発明が解決しようとする課題】
【０００４】
しかしながら、特許文献１に示される排水トラップでは、ヘアキャッチャーの閉塞を緩和できるものの、トラップ本体の構造が複雑で部品点数も多いため、ヘアキャッチャー以外の部分で清掃の手間が掛かるという問題があった。また、トラップ本体が特殊な構造であるため、既に設置されている浴室に対して、このような機能を付加することができないという課題があった。
【０００５】
本発明は上記課題を鑑みてなされたものであり、簡単な構造で容易にヘアキャッチャーの閉塞を緩和できる排水トラップを提供することを目的とする。
【課題を解決するための手段】
【０００６】
上記課題を達成するため、本発明では次の構成をとった。
（１）流入口と流出口とを有した封水部と、この封水部に挿入懸垂される封水筒と、この封水筒の上方に配置されるヘアキャッチャーとを備え、
上記流入口が浴槽排水を流入させ、上記流出口が封水壁を介して排水流出させ、上記封水筒が、その下端よりも下方に突出するフィンを有する排水トラップ。
（２）項（１）において、フィンが封水筒の内壁にまで連続する成形体である排水トラップ。
（３）項（１）又は（２）において、フィンが複数枚設けられ、平面視において、等角度間隔で配置される排水トラップ。
（４）項（１）乃至（３）の何れかにおいて、ヘアキャッチャーの底面の高さが封水壁部の上端部の高さより上方である排水トラップ。
（５）項（１）乃至（４）の何れかにおいて、ヘアキャッチャーの縁部の上面に、略円周方向に形成される整流板を設けるとともに、その整流板の一画に取手を設けている排水トラップ。
【発明の効果】
【０００７】
本発明の排水トラップによれば、封水部に挿入懸垂される封水筒の下端よりも下方に突出するフィンを設けることにより、浴槽水を排水する度に封水筒内の水位を上昇させて、封水筒の上方に設けてあるヘアキャッチャーを洗浄することができる。これにより、ヘアキャッチャーに付着した毛髪を剥離しつつ、これらに付着する人垢、石鹸カス、リンス等を洗い流しやすくすることができるので、ヘアキャッチャーに毛髪等の異物が貼り付きにくくなり、溜まった異物（毛髪等）を捨てる際に容易に捨てることができる。また、これらの異物によるヘアキャッチャーの閉塞をし難くすることができるので、ヘアキャッチャーの異物を取り除く頻度を低減でき、排水口の清掃性を高めることができる。
フィンを封水筒の内壁まで連続する成形体とする場合は、水位上昇の効果をより高められるとともに、封水筒内に旋回流を発生でき、ヘアキャッチャーの洗浄をより効果的に行うことができる。
フィンを等角度間隔に複数枚設ける場合は、平面視において封水筒の設置方向（設置状態での封水筒の向き）に関係なく、ほぼ一定の水位上昇効果、及び旋回効果を得ることができる。これにより、封水筒を設置する際に、その設置方向を気にすることなく、自由に設置することができる。
ヘアキャッチャーの底面の高さを封水壁部の上端部の高さよりも高くした場合は、浴槽排水時以外で、ヘアキャッチャーの底面が封水に浸漬しないので、ヘアキャッチャーが常時封水中に浸漬することによるヌメリ等の発生を抑制することができる。
ヘアキャッチャーの縁部の上面に略円周方向に形成される整流板を設けるとともに、その整流板の一画に取手を設けている場合は、洗い場から流れる毛髪等が取っ手に引っ掛かり難くなるので、ヘアキャッチャーの着脱作業も容易となり、またヘアキャッチャーの清掃作業をより簡単に行うことができる。
また、本発明では、封水筒とヘアキャッチャーの形状を変更するだけで、排水トラップ本体を大幅に変更することなく、上記効果を有することができるので、既設の浴室の排水口の清掃性改善等にも役立てられる。
【発明を実施するための最良の形態】
【０００８】
先ず、図１を参照して、本発明の排水トラップの一例について説明する。
図１は、浴室に設けられた排水トラップの一実施例の概略断面図である。排水トラップ１は、浴槽３０及び洗い場３１の下方に設置されており、浴槽３０の水を流入させる流入口１１と、その水を排出する流出口１２とを有する封水部３と、この封水部３に挿入懸垂される封水筒２と、この封水筒２の上方に配置されるヘアキャッチャー４とを備えている。また、封水筒下端２ａには、下方に突出するフィン６を設けている。
浴槽３０の排水は、流入口１１から流入し、封水部３内の封水壁部（土手部）１４を経て、流出口１２から排出される。また、洗い場３１の排水は洗い場３１の排水枡５内に設置されているヘアキャッチャー４により毛髪等の異物が除去された後、封水部３に流入し、封水壁部（土手部）１４を経て流出口１２から排出される。
【０００９】
封水部３には、流入口１１と封水壁部（土手部）１４と流出口１２とが設けてあり、流入口１１と封水壁部（土手部）１４との間には、封水筒２が挿入懸垂されている。流入口１１は、封水壁部（土手部）１４の上端の高さよりも低い位置に配置され、常に封水部３の液面よりも低くなるように配置している。
流入口１１の断面形状は、特に限定されるものではないが、円状、半円状、楕円状、略円状、略多角形状等、何れの形状を用いることもできる。
また、流入口１１の流路面積は、流出口１２の流路面積よりも小さいことが好ましい。これは、流入口１１の流路面積が流出口１２の流路面積よりも大きいと、浴槽３０から排出された水が流出口１２から排出しきれなくなり、排水の一部が封水筒２を通過して排水枡５内に流入し、更に洗い場３１に逆流し溢れ出してしまうためである。
【００１０】
流出口１２は、排水トラップ１に流入する浴槽３０及び洗い場３１の排水を排水トラップ１の系外に排出するものであり、封水壁部（土手部）１４の上端部に配置される。流出口１２の高さ方向の位置（封水壁部（土手部）１４の高さ）は、封水高さ５０ｍｍ以上を確保するために、封水筒下端２ａよりも５０ｍｍ以上高い位置にあることが好ましい。
【００１１】
封水部３には、流入口１１及び流出口１２の他に、上部が開口し、下部が水中に浸漬している封水筒２を設けている。封水筒２の材質は、特に限定されるものではないが、合成樹脂製や金属製のものを用いることができる。この基材に抗菌剤を混入したり、基材表面に抗菌剤をコーティングしたりしてもよい。また、撥水機能もしくは親水機能を有するコーティングを施すこともできる。
【００１２】
封水筒下端２ａには、フィン６を設けており、このフィン６により、流入口１１から入る浴槽排水の流れの一部を流出口１２に向かう方向（水平方向）からヘアキャッチャー４に向かう方向（鉛直方向）に変えて封水筒２内の水位を上昇させている。
フィン６は、封水筒下端２ａから下方に突設させている。尚、ここで述べる封水筒下端とは、筒としての機能を有する部位の下端である。
フィン６の位置は、封水筒２を水流の流れで上流側と下流側とで分けた場合（上流側半側面と下流側半側面）に、下流側に設けることが好ましい。フィン６の形状は特に限定されることはないが、半円状、略半円状、三角形状、四角形状、略多角形状等、何れの形状を用いることができる。
また、図１に示すように、フィン６は、流入口１１側に向かって下り傾斜していることが好ましく、更には、封水筒２の下端からフィン６の下端にかけて丸み形状を有して傾斜していることが好ましい。このようにすることにより、水流は、滑らかに上昇水流に変更することができる。
【００１３】
次に図２を用いて、本発明の実施例の排水トラップ１に用いられる封水筒２の一例の形状について更に詳しく説明する。
フィン６の最下端から封水筒の下端２ａ迄の長さであるフィン６の高さ（Ｈ）は、封水筒の下端２ａと封水部３底面との距離に応じて、任意に設定することができる。例えば、封水筒の下端２ａと封水部３底面との距離が１０ｍｍの場合、フィン６の高さ（Ｈ）は、３〜９ｍｍが好ましく、更に好ましくは、５〜８ｍｍである。フィン６が３ｍｍよりも短いと水位上昇の効果が徐々に下がり、フィン６が９ｍｍよりも長いと徐々に浴槽３０排水に含まれる毛髪等の異物がフィン６に絡みやすくなるためである。
【００１４】
フィン６の水平方向の長さ（Ｌ：封水筒２の円周方向）は、特に限定されるものではないが、好ましくは、封水筒２の周長さに対して約１／８〜約１／２、更に好ましくは、約１／４〜約１／３程度である。長さが、１／８未満であると、徐々に上昇水流をつくりにくくなり、１／２を超えると、逆にフィンに当たり上昇水流を作り出す水量が少なくなる。このフィン６の高さ（Ｈ）と長さ（Ｌ）を調節することにより、封水筒２内の水位上昇幅を任意に設定することができる。
【００１５】
流入口１１側から見たフィン６の傾斜の位置は、封水部３の底面に対して左右同じ高さになるように設けてもよいが、図２では、流入口１１に近い側（ａ）から流入口１１に遠い側（ｂ）にかけて、徐々に高くなるようにフィンに傾斜を設けている。このような形状にすると、浴槽３０の排水がフィン６に衝突した際に、フィン６の傾斜の低い位置（ａ）から高い位置（ｂ）に持ち上げられて封水筒２の内壁に沿うような上昇流が生じる。結果として、封水筒２内に旋回流（平面視）が発生して、ヘアキャッチャー４の洗浄をより効果的に行うことができる。
【００１６】
図３に示すように、フィン６を封水筒の下端２ａから封水筒２の内壁面にかけて連続して設けることもできる。この場合、フィン６の設置位置は、下端側から上端側に向かって徐々に高くなるように配置することが好ましい。このような形状にすることにより、フィン６の下端で受けた排水の一部を、封水筒２内に導きやすくなるとともに、封水筒２内の水位を上昇させ、より良好に旋回流を発生させることができる。
尚、図３では、フィン６は封水筒２の内壁面に突設されているが、このような形状に限ることはなく、例えば封水筒２の側面部に、その下端から上方に向かって、らせん蛇腹形状のひだを設けてもよい。
【００１７】
フィン６の設置角度（フィンよりも上方の封水筒２内壁面とフィン６とのなす角度）は、概ね９０°〜１７０°が好ましく、更に好ましくは１１０°〜１５０°である。また、フィン６の設置角度は、フィン６の下端部から上端部にかけて一律同じ角度でもよいが、フィン６の下端部の角度が大きく、上端部に向けて徐々に小さくするようにしてもよい。
【００１８】
図１〜３では、フィン６を１枚設けているが、フィン６を複数枚を設けることもできる。
図４は、フィン６を複数枚設けた封水筒２の一実施例の概略図であり、フィン６を４枚設けた場合を示している。
このようにフィン６を複数枚設ける場合には、各フィン６を平面視にて、等角度間隔に設けることが好ましい。また、成形性を考慮し、各フィン６は平面視で重ならない位置に配置することが好ましい。
フィン６を等角度間隔に複数枚設けると、封水筒２の向きの影響を受けにくくなり、どの向きに設置してもほぼ一定の水位上昇幅、及び旋回性能を得ることができる。フィン６の枚数は、特に限定されるものではないが、３〜６枚程度であることが好ましい。
【００１９】
封水筒２の上方には、ヘアキャッチャー４が着脱自在に設置されており、洗い場３１からの排水は、ヘアキャッチャー４で毛髪等の異物が除去された後、排水トラップ１の封水部３内に流入する。
【００２０】
本発明の実施例の排水トラップ１に好適に用いることができるヘアキャッチャー４の一例を、図５により説明する。図５は、本発明の排水トラップに用いられるヘアキャッチャーの一例の概略図である。
ヘアキャッチャー４は、フィルター部７と、その外側の縁部８と、を有しており、縁部８の上面には整流板９と、その一画に取手１０が設けてある。
ヘアキャッチャー４の材質は、特に限定されるものではないが、合成樹脂製や金属製のものを用いることができる。この基材に抗菌剤を混入したり、基材表面に抗菌剤をコーティングしたりしてもよい。また、撥水機能もしくは親水機能を有するコーティングを施すこともできる。
【００２１】
ヘアキャッチャー４の形状は、特に限定されるものではないが、平面視で円状であることが好ましく、またフィルター部７が下に凹む形状であることが好ましい。
フィルター部７の開孔部の形状は、毛髪等の固形物を捕捉できるものであれば良く、例えば、円形状、略円形状、楕円状、多角形状、略多角形状の孔を多数貫通形成させたものでもよいし、櫛状、メッシュ状のものを用いることもできる。また、フィルターの底面中心部から放射状に格子を設ける形状にすることもできる。
フィルター部７の孔径（目幅）は、１〜１２ｍｍが好ましく、更に好ましくは、４〜８ｍｍ程度である。フィルター部７の孔径（目幅）が上記範囲より小さいと、徐々に固形物等によりフィルターが目詰りしやすくなる。逆に、フィルター部７の孔径（目幅）が上記範囲より大きいと、徐々に固形物が捕捉されずに通過してしまい、後段の排水トラップ１１の出口付近や排水配管２０内に堆積して配管が閉塞するリスクが高まるためである。
【００２２】
フィルター部７の底面の高さは、封水壁部（土手部）１４の高さよりも高い位置に設定されており、好ましくは、封水壁部（土手部）１４の高さに対して、１〜１０ｍｍ程度高い位置であり、更に好ましくは２〜５ｍｍ程度である。また、図５には図示していないが、ヘアキャッチャー４のフィルター部７の一画に、毛髪等が閉塞したときに洗い場３１からの排水を確保するためのオーバーフロー口を設けることもできる。この場合、オーバーフロー口の上端部の高さは、縁部８よりも高い位置に設けることが好ましい。
【００２３】
ヘアキャッチャー４の縁部８の上面には、整流板９を設けている。また、この整流板９の一画にはヘアキャッチャー４を着脱しやすいように取手１０を設けている。
側面から見た整流板９の形状は特に限定されるものではなく、略半円状、略三角形状、略四角形状等、種々の形状を用いることができる。また、本実施例では、整流板９をヘアキャッチャー４の円周に沿うように設けているが、整流板９の一部を偏心させたり、凹凸部を設けたり、整流板９の端部を内側に折り曲げるような形状にしても良い。
【００２４】
整流板９の長さは、ヘアキャッチャー４の周長さの約１／８〜１／２程度、更に好ましくは、約１／４〜１／３程度が好ましい。整流板９の長さがヘアキャッチャー４の周長さの約１／８よりも短くなると、毛髪が整流板９に絡みやすくなる。また、整流板９の長さがヘアキャッチャー４の周長さの約１／２よりも長くなると、洗い場３１排水の流入する箇所が制限されてしまうのであまり好ましくない。
整流板９の高さは、特に限定されることはないが、概ね５〜５０ｍｍ、更に好ましくは概ね１５〜３０ｍｍ程度であることが好ましく、その高さは目皿１３の位置よりも低い高さであることが好ましい。
また、整流板９と縁部８とが接続するコーナー部には丸み形状を設けることが好ましい。この場所に丸み形状を設けると、整流板９の背面の流れがスムーズになり、洗い場３１から流れてくる毛髪の整流板９への引っ掛かりをより低減することができる。また、この部分の清掃作業も容易になる。
【００２５】
整流板９の一画には、取手１０を設けている。取手１０の形状は特に限定されることなく、種々の形状を用いることができる。図５では、整流板９の上部から上方に延設するように設けているが、ヘアキャッチャー４の外側に向かって突設するように設けてもよいし、フィルター部７に向かって突設することもできる。また、ヘアキャッチャー４の円周方向に向かって突設させてもよい。
取手１０の位置は特に限定されることはなく、整流板９の中央付近に設けてもよいし、整流板９の端部に設けてもよい。また、整流板９とフィルター部７との間に整流板９の高さよりも高くなるように立設してもよい。
また、整流板９の一画に人の指が入る程度の穴を開口して、取手の代わりとすることもできる。場合によっては取手１０を省略することもできる。
【００２６】
（試験例１）
本発明の排水トラップ１の一例を用いて、水位上昇試験を実施した。本試験では、先ず、図１に示すように浴槽３０、洗い場３１及び排水トラップ１を配置した。次に、浴槽３０に栓をして水位２００ｍｍになるように水を溜めた後、一気に栓を抜いて、封水筒２内の水位上昇幅、及び旋回の有無を確認した。フィン６の効果を確認するために、フィン６がない封水筒２を用いた場合についても試験を行った。結果を表１に示す。表１から、フィン６を設けた場合には、封水筒２内の水位を効果的に上昇でき、更にフィン６の形状により、封水筒２内に良好に旋回流を形成できることが確認できた。
【００２７】
【表１】
2009138383.tif 000003
【００２８】
（試験例２）
本発明の排水トラップ１の一例を用いて、毛髪絡み試験を実施した。本試験では、先ず、図１に示すように浴槽３０、洗い場３１及び排水トラップ１を配置した。次に、洗い場３１に毛髪（約３０ｃｍ）１００本を均一に散布し、シャワーで枡５内に洗い流した。全ての毛髪を洗い流した後に、目皿１３を開けて取手１０に絡んでいる毛髪数を測定した。なお、比較対照として、取手１０の周囲に整流板９がないヘアキャッチャー４についても同様の試験を実施した。結果を表２に示す。表２から、整流板９を設けた場合には、整流板９のない場合と比較して、取手１０に絡む毛髪数が格段に少なく、ヘアキャッチャーの清掃性が向上できることが確認できた。
【００２９】
【表２】
2009138383.tif 000004
【図面の簡単な説明】
【００３０】
【図１】本発明の実施例である排水トラップの一例の概略断面図である。
【図２】本発明の実施例である排水トラップに用いられる封水筒の一例の概略図である。
【図３】本発明の実施例である排水トラップに用いられる封水筒の他の一例の概略図である。
【図４】本発明の実施例である排水トラップに用いられる封水筒の他の一例の概略図である。
【図５】本発明の実施例である排水トラップに用いられるヘアキャッチャーの一例の概略図である。
【図６】従来例の排水トラップの一例を示す概略断面図である。
【符号の説明】
【００３１】
１…排水トラップ、２…封水筒、２ａ…封水筒の下端、３…封水部、４…ヘアキャッチャー、５…排水枡、６…フィン、７…フィルター部、８…縁部、９…整流板、１０…取手、１１…流入口、１２…流出口、１３…目皿、１４…封水壁部（土手部）、３０…浴槽、３１…洗い場。
【図１】
2009138383.tif 000005
【図２】
2009138383.tif 000006
【図３】
2009138383.tif 000007
【図４】
2009138383.tif 000008
【図５】
2009138383.tif 000009
【図６】
2009138383.tif 000010